(57)【要約】【課題】操作性を高めることが可能な通信装置を提供すること。【解決手段】多機能機１０は、タッチパネルボタンが表示されるタッチパネル５０を備える。ＣＰＵ１４は、タッチパネルボタンのキータッチ音の音量値を設定する。また、ＣＰＵ１４は、タッチパネルボタンのボタンサイズと、予め定められる基準ボタンサイズとを基本機能パラメータ記憶領域４２に保持する。また、ＣＰＵ１４は、基本機能パラメータ記憶領域４２から読み出したボタンサイズと基準ボタンサイズとを比較する。また、ＣＰＵ１４は、ボタンサイズが基準ボタンサイズよりも小さいことが検出されることに応じて、ボタン音量設定値を”＋１段階”上昇させる。また、ＣＰＵ１４は、タッチパネルボタンに入力操作が行われることに応じて、ボタン音量設定値に応じたキータッチ音を鳴動する。【選択図】図３
2010165197.tif 000002
【特許請求の範囲】
【請求項１】
入力ボタンが表示されるタッチパネルを備える通信装置において、
前記入力ボタンのキータッチ音の音量値を設定する音量設定手段と、
前記入力ボタンの入力ボタンサイズと、予め定められる基準ボタンサイズとをメモリに保持するボタンサイズ保持手段と、
前記メモリから読み出した前記入力ボタンサイズと前記基準ボタンサイズとを比較する比較手段と、
前記入力ボタンサイズが前記基準ボタンサイズよりも小さいことが前記比較手段で検出されることに応じて、前記音量値を予め定められる第１所定値の分だけ増加させる音量変更手段と、
前記入力ボタンに入力操作が行われることに応じて、前記音量値に応じた前記キータッチ音を鳴動する鳴動手段と
を備えることを特徴とする通信装置。
【請求項２】
前記比較手段は、
前記タッチパネルに新たな前記入力ボタンが表示されることに応じて、当該新たに表示された前記入力ボタンの入力ボタンサイズを前記メモリから読み出して、前記基準ボタンサイズと比較する
ことを特徴とする請求項１に記載の通信装置。
【請求項３】
前記比較手段は、
前記入力ボタンに入力操作が行われることに応じて、当該入力操作が行われた前記入力ボタンの入力ボタンサイズを前記メモリから読み出して、前記基準ボタンサイズと比較する
ことを特徴とする請求項１に記載の通信装置。
【請求項４】
前記音量値が前記音量設定手段によってゼロに設定される場合を検出する検出手段を備え、
前記音量変更手段は、前記検出手段の検出結果に応じて、前記基準ボタンサイズよりも小さい前記入力ボタンサイズを有する前記入力ボタンの前記音量値を予め定められる最小値に変更する
ことを特徴とする請求項１ないし請求項３の何れかに記載の通信装置。
【請求項５】
入力ボタンが表示されるタッチパネルと、前記タッチパネルを照明するバックライトとを備える通信装置において、
前記入力ボタンのキータッチ音の音量値を設定する音量設定手段と、
前記バックライトの光量を定めるバックライト設定値を設定するバックライト設定手段と、
前記バックライト設定値と、予め定められる第１基準バックライト設定値とをメモリに保持するバックライト設定値保持手段と、
前記メモリから読み出した前記バックライト設定値と前記第１基準バックライト設定値とを比較する比較手段と、
前記バックライト設定値が前記第１基準バックライト設定値よりも小さいことが前記比較手段で検出されることに応じて、前記音量値を予め定められる第１所定値の分だけ増加させる音量変更手段と、
前記入力ボタンに入力操作が行われることに応じて前記音量値に応じた前記キータッチ音を鳴動する鳴動手段と
を備えることを特徴とする通信装置。
【請求項６】
前記比較手段は、
前記バックライト設定手段によって前記バックライト設定値が変更されることに応じて、当該変更された前記バックライト設定値を前記メモリから読み出して、前記第１基準バックライト設定値と比較する
ことを特徴とする請求項５に記載の通信装置。
【請求項７】
前記比較手段は、
前記入力ボタンに入力操作が行われることに応じて、前記バックライト設定値と前記第１基準バックライト設定値とを前記メモリから読み出して比較する
ことを特徴とする請求項５に記載の通信装置。
【請求項８】
前記バックライト設定値保持手段は、前記第１基準バックライト設定値よりも大きな値を有する第２基準バックライト設定値を前記メモリに保持し、
前記比較手段は、前記メモリから読み出した前記バックライト設定値と前記第２基準バックライト設定値とを比較し、
前記音量変更手段は、前記バックライト設定値が第２基準バックライト設定値よりも大きいことが前記比較手段で検出されることに応じて、前記音量値を予め定められる第２所定値の分だけ減少させる
ことを特徴とする請求項５ないし請求項７の何れかに記載の通信装置。
【請求項９】
入力ボタンが表示されるタッチパネルを備える通信装置において、
前記タッチパネルに照射される照射光量を測定する照度センサと、
前記入力ボタンのキータッチ音の音量値を設定する音量設定手段と、
予め定められる第１基準照射光量設定値をメモリに保持する照射光量設定値保持手段と、
前記照射センサで測定された前記照射光量と前記メモリから読み出した前記第１基準照射光量設定値とを比較する比較手段と、
前記照射光量が前記第１基準照射光量設定値よりも大きいことが前記比較手段で検出されることに応じて、前記音量値を予め定められる第１所定値の分だけ増加させる音量変更手段と、
前記入力ボタンに入力操作が行われることに応じて前記音量値に応じた前記キータッチ音を鳴動する鳴動手段と
を備えることを特徴とする通信装置。
【請求項１０】
前記比較手段は、
前記照度センサによって測定される前記照射光量が変化することに応じて、当該変化した前記照射光量を前記第１基準照射光量設定値と比較する
ことを特徴とする請求項９に記載の通信装置。
【請求項１１】
前記照度センサは、前記入力ボタンに入力操作が行われることに応じて前記照射光量を測定し、
前記比較手段は、前記照度センサで測定動作が行われることに応じて、前記照度センサで測定された前記照射光量と前記第１基準照射光量設定値とを比較する
ことを特徴とする請求項９に記載の通信装置。
【請求項１２】
前記照射光量設定値保持手段は、前記第１基準照射光量設定値よりも小さな値を有する第２基準照射光量設定値を前記メモリに保持し、
前記比較手段は、前記照射センサで測定された前記照射光量と前記メモリから読み出した前記第２基準照射光量設定値とを比較し、
前記音量変更手段は、前記照射光量が第２基準照射光量設定値よりも小さいことが前記比較手段で検出されることに応じて、前記音量値を予め定められる第２所定値の分だけ減少させる
ことを特徴とする請求項９ないし請求項１１の何れかに記載の通信装置。
【発明の詳細な説明】
【技術分野】
【０００１】
本発明は、タッチパネル上に表示される入力ボタンを備える通信装置に関する。
【背景技術】
【０００２】
ＦＡＸ機、コピー機、電話機や、これらの複合機では、タッチパネルが搭載されているものがある。タッチパネルに表示されたボタンでの入力操作に関しては、指の触感による情報がメカニカルなボタンに比して乏しい。そこで、タッチパネルに表示されたボタンを押すと、ボタンの表示色を変化させることや、ボタンの表示形態を変化させて押された旨を表示することで、入力操作の有無を認識しやすくすることが行われている。また、ボタンが押されると操作音を鳴動させることも行われている。
【先行技術文献】
【特許文献】
【０００３】
また、上記背景技術に関連して、特許文献１が開示されている。
【特許文献１】特開平７−２２２０２７号公報
【発明の概要】
【発明が解決しようとする課題】
【０００４】
ユーザの指先でボタンが隠れてしまう場合や、タッチパネルのバックライトが暗い場合や、タッチパネルに西日などの強い光が照射されている場合など、ボタンの表示の変化が分かりにくい場合においては、操作音を鳴動させることで、入力操作の有無を認識しやすくすることができる。しかし、深夜などの騒音を抑える必要がある状況では、操作音をオフする必要がある。すると、使用状況に応じて、操作音を操作する必要が生じるため、ユーザに不便を与えていた。本明細書では、このような不便性を解消することができる技術を提供する。
【課題を解決するための手段】
【０００５】
本発明に係る通信装置は、入力ボタンが表示されるタッチパネルを備える。通信装置の一例としては、電話機、ＦＡＸ、コピー機やこれらの複合機が挙げられる。
【０００６】
本発明に係る通信装置は、音量設定手段と、ボタンサイズ保持手段と、比較手段と、音量変更手段と、鳴動手段とを備える。音量設定手段は、入力ボタンのキータッチ音の音量値を設定する。音量値は、例えば、予めユーザによって設定されるとしてもよい。ボタンサイズ保持手段は、入力ボタンの入力ボタンサイズと、予め定められる基準ボタンサイズとをメモリに保持する。比較手段は、メモリから読み出した入力ボタンサイズと基準ボタンサイズとを比較する。音量変更手段は、入力ボタンサイズが基準ボタンサイズよりも小さいことが比較手段で検出されることに応じて、音量値を予め定められる第１所定値の分だけ増加させる。第１所定値は、ユーザによって設定されるとしてもよい。鳴動手段は、入力ボタンに入力操作が行われることに応じて、音量値に応じたキータッチ音を鳴動する。
【０００７】
これにより、タッチパネルに表示される入力ボタンの入力ボタンサイズが基準ボタンサイズより小さい場合には、当該入力ボタンのキータッチ音を所定値の分だけ大きくすることができる。例えば、基準ボタンサイズの大きさを、ユーザがボタンをタッチする際に指でボタン全体が隠れてしまう程度のボタンサイズに設定すれば、ボタン表示の変化が見えにくいボタンに関してはキータッチ音を大きくすることができる。よって、入力操作の有無を入力ボタンの表示形態の変化により認識しにくい場合においては、キータッチ音を大きくすることで、ユーザに確実に入力操作の有無を認識させることができるため、ユーザの利便性を高めることが可能となる。
【０００８】
また、通信装置が備える比較手段は、タッチパネルに新たな入力ボタンが表示されることに応じて、当該新たに表示された入力ボタンの入力ボタンサイズをメモリから読み出して、基準ボタンサイズと比較する、としてもよい。新たな入力ボタンが表示される場合とは、例えば、タッチパネルの表示内容が切り替わる場合などが挙げられる。これにより、基準ボタンサイズより小さい入力ボタンのキータッチ音を、自動で大きくすることができる。
【０００９】
また、通信装置が備える比較手段は、入力ボタンに入力操作が行われることに応じて、当該入力操作が行われた入力ボタンの入力ボタンサイズをメモリから読み出して、基準ボタンサイズと比較する、としてもよい。これにより、入力操作が行われる度に、入力操作が行われた入力ボタンのキータッチ音の音量値が比較手段によって確認される。よって、基準ボタンサイズより小さい入力ボタンのキータッチ音を大きくすることができる。
【００１０】
また、通信装置は、音量値が音量設定手段によってゼロに設定される場合を検出する検出手段を備えてもよい。また、音量変更手段は、検出手段の検出結果に応じて、基準ボタンサイズよりも小さい入力ボタンサイズを有する入力ボタンの音量値を予め定められる最小値に変更する、としてもよい。これにより、入力ボタンのキータッチ音の音量値をゼロにした場合には、音量変更手段によって、自動的に基準ボタンサイズよりも小さい入力ボタンサイズを有する入力ボタンの音量値が最小値となるように調整される。なお音量値の最小値は、周囲環境が静寂である場合において、ユーザのみにキータッチ音が聞き取れる程度の値が好ましい。これにより、入力ボタンのキータッチ音をオフにした場合においても、ユーザは、入力操作の有無を入力ボタンの表示形態の変化により認識しにくい入力ボタンのキータッチ音については聞き取ることが可能となる。よって、通信装置の操作性と静粛性とを両立することができる。
【００１１】
また、通信装置は、音量設定手段と、バックライト設定手段と、バックライト設定値保持手段と、比較手段と、音量変更手段と、鳴動手段とを備えてもよい。バックライト設定手段は、バックライトの光量を定めるバックライト設定値を設定する。バックライト設定値は、例えば、予めユーザによって設定されるとしてもよい。バックライト設定値保持手段は、バックライト設定値と、予め定められる第１基準バックライト設定値とをメモリに保持する。比較手段は、メモリから読み出したバックライト設定値と第１基準バックライト設定値とを比較する。
【００１２】
これにより、バックライト設定値が第１基準バックライト設定値よりも小さい場合には、入力ボタンのキータッチ音を第１所定値の分だけ大きくすることができる。例えば、第１基準バックライト設定値の値を、ユーザがボタンの表示内容を読み取ることが困難となる程度の小さい値（バックライトが暗いときの値）に設定すれば、ボタン表示の変化が見えにくい状況下ではキータッチ音を大きくすることができる。よって、入力操作の有無を入力ボタンの表示形態の変化により認識しにくい場合においては、キータッチ音を大きくすることで、ユーザに確実に入力操作の有無を認識させることができるため、ユーザの利便性を高めることが可能となる。
【００１３】
また、通信装置が備える比較手段は、バックライト設定手段によってバックライト設定値が変更されることに応じて、当該変更されたバックライト設定値をメモリから読み出して、第１基準バックライト設定値と比較する、としてもよい。バックライト設定値の変更は、例えば、ユーザによって手動で行われる場合などが挙げられる。これにより、バックライトの明るさが第１基準バックライト設定値より暗い場合に、入力ボタンのキータッチ音を自動で大きくすることができる。
【００１４】
また、通信装置が備える比較手段は、入力ボタンに入力操作が行われることに応じて、バックライト設定値と第１基準バックライト設定値とをメモリから読み出して比較する、としてもよい。これにより、入力操作が行われる度に、バックライト設定値が比較手段によって確認される。よって、バックライトの明るさが第１基準バックライト設定値より暗い場合に、入力ボタンのキータッチ音を大きくすることができる。
【００１５】
また、通信装置が備えるバックライト設定値保持手段は、第１基準バックライト設定値よりも大きな値を有する第２基準バックライト設定値をメモリに保持するとしてもよい。また、比較手段は、メモリから読み出したバックライト設定値と第２基準バックライト設定値とを比較するとしてもよい。また、音量変更手段は、バックライト設定値が第２基準バックライト設定値よりも大きいことが比較手段で検出されることに応じて、音量値を予め定められる第２所定値の分だけ減少させるとしてもよい。
【００１６】
これにより、バックライト設定値が第２基準バックライト設定値よりも大きい場合には、入力ボタンのキータッチ音を所定値の分だけ小さくすることができる。例えば、第２基準バックライト設定値の値を、ユーザがボタンの表示内容を読み取ることが可能である程度の大きい値（バックライトが明るいときの値）に設定すれば、ボタン表示の変化が見えやすい状況下ではキータッチ音を小さくすることができる。よって、入力操作の有無を入力ボタンの表示形態の変化により認識しやすい場合においては、キータッチ音を小さくすることで、通信装置の静粛性を確保することができる。
【００１７】
また、通信装置は、照度センサと、音量設定手段と、照射光量設定値保持手段と、比較手段と、音量変更手段と、鳴動手段とを備えてもよい。照度センサは、タッチパネルに照射される照射光量を測定する。照射光量設定値保持手段は、予め定められる第１基準照射光量設定値をメモリに保持する。比較手段は、照射センサで測定された照射光量とメモリから読み出した第１基準照射光量設定値とを比較する。音量変更手段は、照射光量が第１基準照射光量設定値よりも大きいことが比較手段で検出されることに応じて、音量値を予め定められる第１所定値の分だけ増加させる。
【００１８】
これにより、照射光量が第１基準照射光量設定値よりも大きい場合には、入力ボタンのキータッチ音を第１所定値の分だけ大きくすることができる。例えば、第１基準照射光量設定値の値を、ユーザが眩しさによってボタンの表示内容を読み取ることが困難となる程度の大きい値（西日などの強い光がタッチパネルに照射されている場合などの値）に設定すれば、ボタン表示の変化が見えにくい状況下ではキータッチ音を大きくすることができる。よって、入力操作の有無を入力ボタンの表示形態の変化により認識しにくい場合においては、キータッチ音を大きくすることで、ユーザに確実に入力操作の有無を認識させることができるため、ユーザの利便性を高めることが可能となる。
【００１９】
また、通信装置が備える比較手段は、照度センサによって測定される照射光量が変化することに応じて、当該変化した照射光量を第１基準照射光量設定値と比較する、としてもよい。照射光量の変化は、例えば、照度センサが定期的に照射光量を測定することによって検出される場合などが挙げられる。これにより、照射光量が第１基準照射光量設定値より大きい場合（眩しい場合）に、入力ボタンのキータッチ音を自動で大きくすることができる。
【００２０】
また、通信装置が備える照度センサは、入力ボタンに入力操作が行われることに応じて照射光量を測定するとしてもよい。また、比較手段は、照度センサで測定動作が行われることに応じて、照度センサで測定された照射光量と第１基準照射光量設定値とを比較する、としてもよい。これにより、照度センサで測定動作が行われる度に、比較手段によって照射光量が確認される。よって、照射光量が第１基準照射光量設定値より大きい場合に、入力ボタンのキータッチ音を大きくすることができる。
【００２１】
また、通信装置が備える照射光量設定値保持手段は、第１基準照射光量設定値よりも小さな値を有する第２基準照射光量設定値をメモリに保持するとしてもよい。また、比較手段は、照射センサで測定された照射光量とメモリから読み出した第２基準照射光量設定値とを比較するとしてもよい。また、音量変更手段は、照射光量が第２基準照射光量設定値よりも小さいことが比較手段で検出されることに応じて、音量値を予め定められる第２所定値の分だけ減少させるとしてもよい。
【００２２】
これにより、照射光量が第２基準照射光量設定値よりも小さい場合（眩しくない場合）には、入力ボタンのキータッチ音を第２所定値の分だけ小さくすることができる。例えば、第２基準バックライト設定値の値を、ユーザがボタンの表示内容を読み取ることが可能である程度の小さい値（強い光がタッチパネルに照射されていない場合の値）に設定すれば、ボタン表示の変化が見えやすい状況下ではキータッチ音を小さくすることができる。よって、入力操作の有無を入力ボタンの表示形態の変化により認識しやすい場合においては、キータッチ音を小さくすることで、通信装置の静粛性を確保することができる。
【図面の簡単な説明】
【００２３】
【図１】多機能機１０の外観図である。
【図２】多機能機１０の構成を示す図である。
【図３】第１実施形態に係る音量調整処理のフロー図である。
【図４】第１実施形態に係る表示画面例（その１）である。
【図５】第１実施形態に係る表示画面例（その２）である。
【図６】第２実施形態に係る音量調整処理のフロー図である。
【図７】第２実施形態に係る表示画面例である。
【図８】第３実施形態に係る音量調整処理のフロー図である。
【図９】第３実施形態に係る表示画面例である。
【図１０】第１実施形態の変形例に係る音量調整処理のフロー図である。
【図１１】第２実施形態の変形例に係る音量調整処理のフロー図である。
【図１２】第３実施形態の変形例に係る音量調整処理のフロー図である。
【発明を実施するための形態】
【００２４】
図面を参照して実施例を説明する。図１に、多機能機１０の外観図を示す。多機能機１０は、プリンタ機能、スキャナ機能、コピー機能、ファクシミリ機能、電話機能などを有する。図１に示すように、多機能機１０の上面正面側には、タッチパネル５０および照度センサ６２が設けられている。照度センサ６２は、タッチパネル５０に照射される照射光量値を測定するためのセンサである。タッチパネル５０は、ユーザがタッチした位置の座標を検出することができるパネルである。タッチパネル５０には、タッチパネルボタンが表示される。タッチパネルボタンのボタンサイズ、形状などの表示形態は、タッチパネル５０の画面レイアウトに応じて任意に設計することが可能である。タッチパネルボタンでの入力操作に関しては、指の触感による情報がメカニカルなボタンに比して乏しい。よって、タッチパネルボタンにタッチすることで入力操作が行われると、電子音によるキータッチ音が鳴動する。これにより、ユーザは入力操作の有無を認識し易くなるため、ユーザの利便性を高めることができる。また、タッチパネルボタンのキータッチ音の音量（タッチパネルボタン音量）は、後述するように、調整可能とされている。
【００２５】
図２に、多機能機１０の構成を示す。多機能機１０は、制御部１２、タッチパネル５０、ハードキー５２、印刷部５４、スキャン部５６、ＦＡＸ部５８、ネットワークインターフェイス６０、照度センサ６２、等を有する。制御部１２は、ＣＰＵ１４、ＲＯＭ１６、ＲＡＭ３０、ＮＶＲＡＭ４０、等を有する。
【００２６】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための基本機能プログラム１８を記憶している。基本機能プログラム１８は、例えば、タッチパネルボタン音量の調整処理や、タッチパネルボタンの表示形態の変更処理に用いられる。
【００２７】
ＲＡＭ３０は、基本機能ワーク領域３２および表示情報記憶領域３６を備える。基本機能ワーク領域３２は、基本機能プログラム１８に従って処理が実行される過程で生成される各種データを記憶するための記憶領域である。表示情報記憶領域３６は、タッチパネル５０に表示する表示情報を記憶するための記憶領域である。
【００２８】
ＮＶＲＡＭ４０は、基本機能パラメータ記憶領域４２を有する。基本機能パラメータ記憶領域４２は、ＣＰＵ１４が基本機能プログラム１８に従って処理を実行する際に利用される各種パラメータを記憶するための記憶領域である。基本機能パラメータ記憶領域４２には、タッチパネル５０に表示されるタッチパネルボタンの「ボタンサイズ」が記憶される。「ボタンサイズ」は、タッチパネル５０の画面レイアウト設計時などに定められる値である。また、タッチパネルボタン音量を変更するか否かの基準となる「基準ボタンサイズ」が記憶される。「基準ボタンサイズ」は、ユーザがタッチパネルボタンをタッチする際に指でボタン全体が隠れてしまう程度のボタンサイズに設定することが好ましい。また、タッチパネルボタン音量の初期値を定める「ボタン音量初期設定値」が記憶される。「ボタン音量初期設定値」は、予めユーザ等によって設定される値である。なお、「ボタン音量初期設定値」の設定方法は一般的な方法でよいため、ここでは詳細な説明は省略する。また、実際のタッチパネルボタン音量を表す「ボタン音量設定値」が記憶される。「ボタン音量設定値」は、後述する音量調整処理によって変更される変数値である。
【００２９】
また、基本機能パラメータ記憶領域４２には、タッチパネル５０に備えられるバックライトの光量の基準値である「第１基準バックライト設定値」および「第２基準バックライト設定値」が記憶される。「第２基準バックライト設定値」は、「第１基準バックライト設定値」よりも大きな値を有している。「第１基準バックライト設定値」の値は、ユーザがボタンの表示内容を読み取ることが困難となる程度の小さい値（バックライトが暗いときの値）に設定することが好ましい。また、「第２基準バックライト設定値」の値は、ユーザがボタンの表示内容を読み取ることが可能である程度の大きい値（バックライトが明るいときの値）に設定することが好ましい。これらの設定値は、予めユーザ等によって設定される。
【００３０】
また、基本機能パラメータ記憶領域４２には、照度センサ６２に照射される照射光量値の基準値である「第１基準照射光量設定値」および「第２基準照射光量設定値」が記憶される。「第１基準照射光量設定値」は、「第２基準照射光量設定値」よりも大きな値を有している。「第１基準照射光量設定値」の値は、ユーザが眩しさによってボタンの表示内容を読み取ることが困難となる程度の大きい値（西日などの強い光がタッチパネルに照射されている場合などの値）に設定することが好ましい。また、「第２基準バックライト設定値」の値は、ユーザがボタンの表示内容を読み取ることが容易である程度の小さい値（強い光がタッチパネルに照射されていない場合の値）に設定することが好ましい。これらの設定値は、予めユーザ等によって設定される。
【００３１】
ネットワークインターフェイス６０は、ＬＡＮ回線に接続されている。多機能機１０は、外部に接続されたパーソナルコンピュータと通信可能であるとともに、インターネットにアクセス可能とされる。
【００３２】
第１実施形態に係るタッチパネルボタン音量の音量調整処理を、図３のフローと、図４および図５の表示画面例を用いて詳説する。第１実施形態は、タッチパネルボタンのボタンサイズ変更に応じて、タッチパネルボタン音量の音量調整処理を行う形態である。例として、タッチパネルボタンが「大」「中」「小」の３種類のボタンサイズを有している場合を説明する。ここで、ボタンサイズ「小」は基準ボタンサイズよりも小さいサイズであり、ボタンサイズ「中」および「大」は基準ボタンサイズよりも大きいサイズであるとする。第１実施形態では、図４から図５へタッチパネルボタンの表示形態が変更された場合を例として説明する。
【００３３】
図４の表示画面例では、タッチパネル５０にはボタン群２０１が表示されている。ボタン群２０１を構成するタッチパネルボタンのボタンサイズは「大」である。また、図５の表示画面例では、タッチパネル５０にはボタン群３０１および４０１が表示されている。ボタン群３０１を構成するタッチパネルボタンのボタンサイズは「中」である。また、ボタン群４０１を構成するタッチパネルボタンのボタンサイズは「小」である。
【００３４】
図４および図５に示すように、ボタン群２０１、３０１、４０１のタッチパネルボタン音量は、ＯＦＦ、設定１〜設定８の９段階に設定可能とされ、最小調整幅は「１」である。そして設定値が大きくなるほど、音量が大きくなる。図４および図５では、ボタン群２０１、３０１、４０１のボタン音量設定値が、予め「設定４」に設定されている場合を説明する。
【００３５】
図３のフローを説明する。音量調整処理が開始されると、Ｓ１１に進む。Ｓ１１において、ＣＰＵ１４は、タッチパネルボタンの表示形態が変更されたか否かを判断する。表示形態が変更されていない場合（Ｓ１１：ＮＯ）には、Ｓ１１へ戻り、ＣＰＵ１４は表示形態の変更を待機する。一方、表示形態が変更されている場合（Ｓ１１：ＹＥＳ）には、Ｓ１３へ進む。
【００３６】
第１実施形態の例では、図４の表示形態が維持されている間は、Ｓ１１で待機が行われる。そして、ユーザがボタン群２０１の何れかのタッチパネルボタンをタッチし、タッチパネルボタンの表示形態が図４から図５へ変更されることに応じて、Ｓ１３へ進む。
【００３７】
Ｓ１３に進むと、ＣＰＵ１４は、タッチパネル５０に新たに表示されたタッチパネルボタンのボタンサイズを、基本機能パラメータ記憶領域４２から取得する。そしてＳ１５へ進む。第１実施形態の例（図５）では、Ｓ１３において、ボタン群３０１のボタンサイズ「中」と、ボタン群４０１のボタンサイズ「小」とが取得される。
【００３８】
Ｓ１５では、ＣＰＵ１４は、基準ボタンサイズよりも小さいボタンサイズを有するタッチパネルボタンが、タッチパネル５０に表示されているか否かを判断する。当該判断は、基本機能パラメータ記憶領域４２から取得された基準ボタンサイズと、タッチパネル５０に新たに表示されたタッチパネルボタンのボタンサイズとを比較することで行われる。基準ボタンサイズよりも小さいタッチパネルボタンが表示されていない場合（Ｓ１５：ＮＯ）には、フローが終了される。一方、基準ボタンサイズよりも小さいタッチパネルボタンが表示されている場合（Ｓ１５：ＹＥＳ）には、Ｓ１７へ進み、ＣＰＵ１４は、当該タッチパネルボタンのボタン音量設定値を基本機能パラメータ記憶領域４２から取得する。そしてＳ１９へ進む。
【００３９】
第１実施形態の例（図５）では、Ｓ１５において、基準ボタンサイズよりも小さいタッチパネルボタンを有するボタン群４０１が表示されているため、Ｓ１７へ進む。そして、ＣＰＵ１４はボタン群４０１のボタン音量設定値（「設定４」）を取得する。
【００４０】
Ｓ１９に進むと、ＣＰＵ１４は、基準ボタンサイズよりも小さいタッチパネルボタンのボタン音量設定値が「ＯＦＦ」であるか否かを判断する。ボタン音量設定値が「ＯＦＦ」であると判断された場合（Ｓ１９：ＹＥＳ）には、Ｓ２１へ進む。Ｓ２１では、ＣＰＵ１４は、基準ボタンサイズよりも小さいタッチパネルボタンのボタン音量設定値を、最小値である「設定１」に変更し、基本機能パラメータ記憶領域４２に保存する。その後、タッチパネルボタン音量の調整動作が終了される。なお、「設定１」の音量は、周囲環境が静寂である場合において、ユーザのみにキータッチ音が聞き取れる程度の値が好ましい。
【００４１】
一方、Ｓ１９において、ボタン音量設定値が「ＯＦＦ」ではないと判断された場合（Ｓ１９：ＮＯ）には、Ｓ２３へ進む。Ｓ２３へ進むと、ＣＰＵ１４は、基準ボタンサイズよりも小さいタッチパネルボタンのボタン音量設定値を”＋１段階”上昇させ、基本機能パラメータ記憶領域４２に保存する。その後、タッチパネルボタン音量の調整動作が終了される。
【００４２】
第１実施形態の例（図５）では、Ｓ１９において、ボタン群４０１のボタン音量設定値が「ＯＦＦ」ではないと判断され、Ｓ２３へ進む。Ｓ２３において、ＣＰＵ１４は、ボタン群４０１のボタン音量設定値を、「設定４」から「設定５」へ”＋１段階”上昇させる（図５、矢印Ａ１１）。また、ＣＰＵ１４は、ボタン群３０１のボタン音量設定値は、「設定４」を維持する（図５、領域Ｒ１１）。
【００４３】
第１実施形態に係る発明の効果を以下に説明する。第１実施形態に係る多機能機１０では、タッチパネル５０に表示されるタッチパネルボタンのボタンサイズが基準ボタンサイズより小さい場合には、当該タッチパネルボタンのボタン音量設定値を、予め設定した値から”＋１段階”大きくすることができる。よって、ユーザの指でボタン全体が隠れる場合などの、入力操作の有無をタッチパネルボタンの表示形態の変化により認識しにくい場合においては、キータッチ音を大きくすることで、ユーザに確実に入力操作の有無を認識させることができるため、ユーザの利便性を高めることが可能となる。
【００４４】
また、第１実施形態に係る多機能機１０では、タッチパネルボタンの表示形態が変更されることに応じて、ボタン音量設定値の変更の有無が判断される。これにより、自動で、基準ボタンサイズより小さいタッチパネルボタンのキータッチ音を大きくすることができる。
【００４５】
また、第１実施形態に係る多機能機１０では、ボタン音量設定値が「ＯＦＦ」である場合には、基準ボタンサイズよりも小さいタッチパネルボタンのボタン音量設定値を、最小値である「設定１」に変更する。よって、タッチパネルボタンのキータッチ音を「ＯＦＦ」にした場合においても、ユーザの指でボタン全体が隠れてしまうタッチパネルボタンのキータッチ音については、ユーザが聞き取ることが可能となる。よって、多機能機１０の操作性と静粛性とを両立することができる。
【００４６】
第２実施形態に係るタッチパネルボタン音量の音量調整処理を、図６のフローと、図７の表示画面例を用いて詳説する。第２実施形態は、タッチパネル５０に備えられるバックライトの光量の設定値（バックライト設定値）が変更されることに応じて、タッチパネルボタン音量の音量調整処理を行う形態である。例として、バックライト設定値が「明るい」「普通」「暗い」の３種類の設定を有している場合を説明する。バックライト設定値が第２基準バックライト設定値以上の値である場合には、「明るい」の設定に該当する。また、バックライト設定値が第２基準バックライト設定値よりも小さく、第１基準バックライト設定値よりも大きい値である場合には、「普通」の設定に該当する。また、バックライト設定値が基準１バックライト設定値以下の値である場合には、「暗い」の設定に該当する。バックライト設定値が「明るい」場合はタッチパネル５０の表示内容を認識しやすい状態であり、「暗い」場合は表示内容を認識しにくい状態である。
【００４７】
図７（Ａ）は、バックライト設定値が「明るい」に設定されている場合の表示画面例である。また、図７（Ｂ）は、バックライト設定値が「暗い」に設定されている場合の表示画面例である。第２実施形態では、バックライト設定値が「明るい」（図７（Ａ））から「暗い」（図７（Ｂ））へ変更された場合を例として説明する。図７（Ａ）および図７（Ｂ）の表示画面例では、タッチパネル５０にはボタン群５０１が表示されている。図７（Ａ）および図７（Ｂ）では、全てのタッチパネルボタンのボタン音量設定値が、予め「設定４」に設定されている場合を説明する。
【００４８】
図６のフロー図において、音量調整処理が開始されると、Ｓ３１に進む。Ｓ３１において、ＣＰＵ１４は、バックライト設定値が変更されたか否かを判断する。バックライト設定値が変更されていない場合（Ｓ３１：ＮＯ）には、Ｓ３１へ戻り、ＣＰＵ１４はバックライト設定値の変更を待機する。一方、バックライト設定値が変更されている場合（Ｓ３１：ＹＥＳ）には、Ｓ３３へ進む。
【００４９】
第２実施形態の例では、図７（Ａ）のバックライト設定値が「明るい」に維持されている間は、Ｓ３１で待機が行われる。そして、ユーザの操作等によって、基本機能パラメータ記憶領域４２に保持されているバックライト設定値が、「明るい」（図７（Ａ））から「暗い」（図７（Ｂ））へ変更されることに応じて、Ｓ３３へ進む。
【００５０】
Ｓ３３に進むと、ＣＰＵ１４は、変更後のバックライト設定値を、基本機能パラメータ記憶領域４２から取得する。そしてＳ３５へ進む。第２実施形態の例（図７（Ｂ））では、Ｓ３３において、変更後のバックライト設定値「暗い」が取得される。
【００５１】
Ｓ３５では、ＣＰＵ１４は、バックライト設定値が「明るい」に設定されているか否かを判断する。当該判断は、基本機能パラメータ記憶領域４２から取得された第２基準バックライト設定値と、変更後のバックライト設定値とを比較することで行われる。バックライト設定値が第２基準バックライト設定値以上の値である場合には、バックライト設定値が「明るい」に設定されていると判断され（Ｓ３５：ＹＥＳ）、Ｓ３７へ進む。Ｓ３７において、ＣＰＵ１４は、ボタン音量設定値を基本機能パラメータ記憶領域４２から取得する。そしてＳ３９へ進み、ＣＰＵ１４は、タッチパネル５０に表示されている全てのタッチパネルボタンのボタン音量設定値を”−１段階”下降させた上で、基本機能パラメータ記憶領域４２に保存する。その後、タッチパネルボタン音量の調整動作が終了される。一方、バックライト設定値が第２基準バックライト設定値よりも小さい値である場合（Ｓ３５：ＮＯ）には、Ｓ４１へ進む。第２実施形態の例（図７（Ｂ））では、Ｓ３５において、バックライト設定値が「明るい」に設定されていないと判断され、Ｓ４１へ進む。
【００５２】
Ｓ４１では、ＣＰＵ１４は、バックライト設定値が「暗い」に設定されているか否かを判断する。当該判断は、基本機能パラメータ記憶領域４２から取得された第１基準バックライト設定値と、変更後のバックライト設定値とを比較することで行われる。バックライト設定値が第１基準バックライト設定値以下の値である場合には、バックライト設定値が「暗い」に設定されていると判断され（Ｓ４１：ＹＥＳ）、Ｓ４３へ進む。Ｓ４３において、ＣＰＵ１４は、ボタン音量設定値を基本機能パラメータ記憶領域４２から取得する。そしてＳ４５へ進み、ＣＰＵ１４は、タッチパネル５０に表示されている全てのタッチパネルボタンのボタン音量設定値を”＋１段階”上昇させた上で、基本機能パラメータ記憶領域４２に保存する。その後、タッチパネルボタン音量の調整動作が終了される。
【００５３】
また、Ｓ４１において、バックライト設定値が第１基準バックライト設定値よりも大きい値である場合（Ｓ４１：ＮＯ）には、バックライト設定値が「普通」に設定されていると判断され、Ｓ４７へ進む。Ｓ４７では、ＣＰＵ１４は、タッチパネルボタンのボタン音量設定値の変更を行わず、現状の値を維持する。その後、タッチパネルボタン音量の調整動作が終了される。
【００５４】
第２実施形態の例（図７（Ｂ））では、Ｓ４１において、バックライト設定値が「暗い」に設定されていると判断され、Ｓ４３へ進む。Ｓ４３において、ＣＰＵ１４は、ボタン音量設定値（「設定４」）を基本機能パラメータ記憶領域４２から取得する。Ｓ４５に進み、ＣＰＵ１４は、タッチパネルボタンのボタン音量設定値を、「設定４」から「設定５」へ”＋１段階”上昇させる（図７（Ｂ）、矢印Ａ２１）。
【００５５】
第２実施形態に係る発明の効果を以下に説明する。第２実施形態に係る多機能機１０では、バックライト設定値が第１基準バックライト設定値よりも小さい場合（バックライト設定値が「暗い」場合）には、タッチパネルボタンのキータッチ音を、予め設定した値から”＋１段階”大きくすることができる。よって、バックライトが暗いため入力操作の有無をタッチパネルボタンの表示形態の変化により認識しにくい場合においても、キータッチ音を大きくすることで、ユーザに確実に入力操作の有無を認識させることができる。
【００５６】
また、第２実施形態に係る多機能機１０では、バックライト設定値が第２基準バックライト設定値よりも大きい場合（バックライト設定値が「明るい」場合）には、タッチパネルボタンのキータッチ音を、予め設定した値から”−１段階”小さくすることができる。よって、バックライトが明るいため入力操作の有無をタッチパネルボタンの表示形態の変化により認識しやすい場合においては、キータッチ音を小さくすることで、通信装置の静粛性を確保することが可能となる。
【００５７】
また、第２実施形態に係る多機能機１０では、バックライト設定値が変更されることに応じて、ボタン音量設定値の変更の有無が判断される。これにより、バックライトの設定値が「暗い」場合にはボタン音量設定値を自動で大きくすることができ、バックライトの設定値が「明るい」場合にはボタン音量設定値を自動で小さくすることができるため、ユーザの利便性を高めることが可能となる。
【００５８】
第３実施形態に係るタッチパネルボタン音量の音量調整処理を、図８のフローと、図９の表示画面例を用いて詳説する。第３実施形態は、照度センサ６２に照射される照射光量値の変化に応じて、タッチパネルボタン音量の音量調整処理を行う形態である。例として、照射光量値の「多い」「普通」「少ない」の３種類の変化を検出する場合を説明する。照射光量値が第１基準照射光量設定値以上の値である場合には、「多い」と判断される。また、照射光量値が第１基準照射光量設定値よりも小さく、第２基準照射光量設定値よりも大きい値である場合には、「普通」と判断される。また、照射光量値が第２基準照射光量設定値以下の値である場合には、「少ない」と判断される。照射光量値が「多い」場合は、タッチパネル５０に強い光が当たっているため、タッチパネル５０の表示内容を認識しにくい状態である。一方、照射光量値が「少ない」場合は、タッチパネル５０の表示内容を認識しやすい状態である。
【００５９】
図９の表示画面例では、タッチパネル５０にはボタン群６０１が表示されている。図９では、全てのタッチパネルボタンの初期ボタン音量設定値およびボタン音量設定値が、「設定４」に設定されている場合を説明する。また、照度センサ６２がＯＮ状態にされている場合を説明する。
【００６０】
図８のフロー図において、音量調整処理が開始されると、Ｓ５１に進む。Ｓ５１において、ＣＰＵ１４は、照度センサ６２がＯＮであるか否かを判断する。照度センサ６２がＯＮではない場合（Ｓ５１：ＮＯ）には、フローが終了する。一方、照度センサ６２がＯＮである場合（Ｓ５１：ＹＥＳ）には、Ｓ５３へ進む。Ｓ５３に進むと、ＣＰＵ１４は、照度センサ６２の照射光量値を取得する。そしてＳ５５へ進む。
【００６１】
Ｓ５５では、ＣＰＵ１４は、照射光量値が第１基準照射光量設定値以上の値であるか否かを判断する。照射光量値が第１基準照射光量設定値以上の値である場合（Ｓ５５：ＹＥＳ）には、照射光量値が「多い」と判断され、Ｓ５６へ進む。照射光量値が「多い」状態では、タッチパネル５０に強い光が照射されており、表示内容を読み取ることが困難な状態である。Ｓ５６において、ＣＰＵ１４は、現時点でのボタン音量設定値を基本機能パラメータ記憶領域４２から取得する。そしてＳ５７へ進み、ＣＰＵ１４は、取得したボタン音量設定値を”＋１段階”上昇させる。
【００６２】
Ｓ５８に進むと、ＣＰＵ１４は、ボタン音量設定値を”＋１段階”上昇させた値が、ボタン音量初期設定値を”＋１段階”上昇させた値よりも大きいか否かを判断する。大きい場合（Ｓ５８：ＹＥＳ）には、Ｓ５９へ進み、ボタン音量設定値は変更しないとする処理が行われる。すなわち、ボタン音量設定値を”＋１段階”上昇させる処理がキャンセルされる。そしてＳ５３へ戻る。よって、基本機能パラメータ記憶領域４２に記憶されるボタン音量設定値の値は、”＋１段階”上昇させる前の値に維持される。一方、ボタン音量設定値を”＋１段階”上昇させた値が、ボタン音量初期設定値を”＋１段階”上昇させた値よりも大きくない場合（Ｓ５８：ＮＯ）には、Ｓ６０へ進む。Ｓ６０において、ボタン音量設定値を”＋１段階”した値を基本機能パラメータ記憶領域４２に記憶させることで、ボタン音量設定値を”＋１段階”上昇させる処理が確定する。その後、Ｓ５３へ戻る。
【００６３】
図９に示す例では、基本機能パラメータ記憶領域４２に記憶されているボタン音量初期設定値（「設定４」）とボタン音量設定値（「設定４」）とが等しい状態である。よって、Ｓ５８においては、ボタン音量設定値を”＋１段階”上昇させた値（「設定５」）が、ボタン音量初期設定値を”＋１段階”上昇させた値（「設定５」）よりも大きくない（Ｓ５８：ＮＯ）と判断され、Ｓ６０へ進む。Ｓ６０において、「設定５」のボタン音量設定値を基本機能パラメータ記憶領域４２に記憶させることで、ボタン音量設定値を”＋１段階”上昇させる処理が確定する。
【００６４】
その後、再度Ｓ５８にステップが戻ってきた場合には、基本機能パラメータ記憶領域４２に現時点で記憶されているボタン音量設定値は、「設定５」である。すると、Ｓ５８において、ボタン音量設定値を”＋１段階”上昇させた値（「設定６」）が、ボタン音量初期設定値を”＋１段階”上昇させた値（「設定５」）よりも大きい（Ｓ５８：ＹＥＳ）と判断され、Ｓ５９へ進み、ボタン音量設定値は変更しないとする処理が行われる。よって、ボタン音量設定値は「設定５」で維持される。これにより、ボタン音量設定値が、ボタン音量初期設定値を”＋１段階”上昇させた値よりも大きくなることが防止される。
【００６５】
一方、Ｓ５５において、照射光量値が第１基準照射光量設定値より小さい値である場合（Ｓ５５：ＮＯ）には、Ｓ６１へ進む。Ｓ６１において、ＣＰＵ１４は、照射光量値が第２基準照射光量設定値以下の値であるか否かを判断する。照射光量値が第２基準照射光量設定値以下の値である場合（Ｓ６１：ＹＥＳ）には、照射光量値が「少ない」と判断され、Ｓ６２へ進む。照射光量値が「少ない」状態では、タッチパネル５０に照射される光が弱いため、表示内容を読み取ることが容易な状態である。Ｓ６２において、ＣＰＵ１４は、現時点でのボタン音量設定値を基本機能パラメータ記憶領域４２から取得する。そしてＳ６３へ進み、ＣＰＵ１４は、取得したボタン音量設定値を”−１段階”下降させる。
【００６６】
Ｓ６４に進むと、ＣＰＵ１４は、ボタン音量設定値を”−１段階”下降させた値が、ボタン音量初期設定値を”−１段階”下降させた値よりも小さいか否かを判断する。小さい場合（Ｓ６４：ＹＥＳ）には、Ｓ６５へ進み、ボタン音量設定値は変更しないとする処理が行われる。すなわち、ボタン音量設定値を”−１段階”下降させる処理がキャンセルされる。そしてＳ５３へ戻る。よって、基本機能パラメータ記憶領域４２に記憶されるボタン音量設定値の値は、”−１段階”下降させる前の値に維持される。一方、ボタン音量設定値を”−１段階”下降させた値が、ボタン音量初期設定値を”−１段階”下降させた値よりも小さくない場合（Ｓ６４：ＮＯ）には、Ｓ６６へ進む。Ｓ６６において、ボタン音量設定値を”−１段階”した値を基本機能パラメータ記憶領域４２に記憶させることで、ボタン音量設定値を”−１段階”下降させる処理が確定する。その後、Ｓ５３へ戻る。
【００６７】
これにより、ボタン音量設定値が、ボタン音量初期設定値を”−１段階”下降させた値よりも小さくなることが防止される。
【００６８】
以上より、Ｓ５６ないしＳ６０の処理と、Ｓ６２ないしＳ６６の処理によって、ボタン音量初期設定値を中心値とした±１段階の範囲内で、ボタン音量設定値の値を制御することが可能となる。よって、ボタン音量設定値がボタン音量初期設定値から大きく外れた値に変更される事態を防止することができる。
【００６９】
また、Ｓ６１において、照射光量値が第２基準照射光量設定値よりも大きい値である場合（Ｓ６１：ＮＯ）には、照射光量が「普通」であると判断され、Ｓ６７へ進む。Ｓ６７では、ＣＰＵ１４は、ボタン音量設定値の変更を行わず、現状の値を維持する。その後、Ｓ５３へ戻る。
【００７０】
第３実施形態に係る発明の効果を以下に説明する。第３実施形態に係る多機能機１０では、照射光量値が第１基準照射光量設定値よりも大きい場合（強い光が照射される場合）には、タッチパネルボタンのキータッチ音を、ボタン音量初期設定値から”＋１段階”大きくすることができる。よって、強い光が照射されるため入力操作の有無を入力ボタンの表示形態の変化により認識しにくい場合においても、キータッチ音を大きくすることで、ユーザに確実に入力操作の有無を認識させることができる。
【００７１】
また、第３実施形態に係る多機能機１０では、照射光量値が第２基準照射光量設定値よりも小さい場合（弱い光が照射される場合）には、タッチパネルボタンのキータッチ音を、ボタン音量初期設定値から”−１段階”小さくすることができる。よって、照射される光が弱いため入力操作の有無を入力ボタンの表示形態の変化により認識しやすい場合においては、キータッチ音を小さくすることで、通信装置の静粛性を確保することができる。
【００７２】
また、第３実施形態に係る多機能機１０では、照度センサによって測定される照射光量値が変化することに応じて、ボタン音量設定値の変更の有無が判断される。これにより、照射光量値が「多い」状態で眩しい場合にはタッチパネルボタンのキータッチ音を自動で大きくすることができ、照射光量値が「少ない」状態で眩しくない場合にはタッチパネルボタンのキータッチ音を自動で小さくすることができるため、ユーザの利便性を高めることが可能となる。
【００７３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００７４】
第１実施形態では、タッチパネルボタンの表示形態の変更の有無を常時監視するとしたが、この形態に限られない。図１０のフローに示すように、タッチパネルボタンが押下されることに応じて、表示形態の変更の有無を確認するとしてもよい。
【００７５】
図１０のフローを説明する。音量調整処理が開始されると、Ｓ１１１に進む。Ｓ１１１において、ＣＰＵ１４は、タッチパネルボタンが押下されたか否かを判断する。押下されていない場合（Ｓ１１１：ＮＯ）には、Ｓ１１１へ戻り、ＣＰＵ１４はタッチパネルボタンの押下を待機する。一方、タッチパネルボタンが押下された場合（Ｓ１１１：ＹＥＳ）には、Ｓ１１２へ進み、ＣＰＵ１４は、押下されたタッチパネルボタンのボタン音量設定値を基本機能パラメータ記憶領域４２から取得する。Ｓ１１３に進むと、ＣＰＵ１４は、押下されたタッチパネルボタンのボタンサイズを、基本機能パラメータ記憶領域４２から取得する。なお、図１０のＳ１１５、Ｓ１１７、Ｓ１１９、Ｓ１２１での動作については、第１実施形態（図３）のＳ１５、Ｓ１９、Ｓ２１、Ｓ２３の各々と同様であるため、ここでは詳細な説明は省略する。Ｓ１２３へ進むと、ＣＰＵ１４は、ボタン音量設定値に従ったキータッチ音を鳴動する。これにより、ＣＰＵ１４によって、タッチパネルボタンの表示形態の変更を常に監視する必要がなくなるため、ＣＰＵ１４の負担をさらに軽減することが可能となる。
【００７６】
また、第２実施形態では、バックライト設定値の変更の有無を常時監視するとしたが、この形態に限られない。図１１のフローに示すように、タッチパネルボタンが押下されることに応じて、バックライト設定値の変更の有無を確認するとしてもよい。
【００７７】
図１１のフローを説明する。音量調整処理が開始されると、Ｓ１３１に進む。Ｓ１３１において、タッチパネルボタンが押下されていない場合（Ｓ１３１：ＮＯ）には、Ｓ１３１へ戻り、ＣＰＵ１４はタッチパネルボタンの押下を待機する。一方、タッチパネルボタンが押下された場合（Ｓ１３１：ＹＥＳ）には、Ｓ１３２へ進み、ＣＰＵ１４は、タッチパネルボタンのボタン音量設定値を基本機能パラメータ記憶領域４２から取得する。Ｓ１３３に進むと、ＣＰＵ１４は、バックライト設定値を、基本機能パラメータ記憶領域４２から取得する。なお、図１１のＳ１３５、Ｓ１３７、Ｓ１３９、Ｓ１４１、Ｓ１４３での動作については、第２実施形態（図６）のＳ３５、Ｓ３９、Ｓ４１、Ｓ４５、Ｓ４７の各々と同様であるため、ここでは詳細な説明は省略する。Ｓ１４５へ進むと、ＣＰＵ１４は、ボタン音量設定値に従ったキータッチ音を鳴動する。これにより、ＣＰＵ１４によって、バックライト設定値の変更を常に監視する必要がなくなるため、ＣＰＵ１４の負担をさらに軽減することが可能となる。
【００７８】
また、第３実施形態では、照度センサによって測定される照射光量値の変化を常時監視するとしたが、この形態に限られない。図１２のフローに示すように、タッチパネルボタンが押下されることに応じて、照射光量値を確認するとしてもよい。
【００７９】
図１２のフローを説明する。音量調整処理が開始されると、Ｓ１５１に進む。Ｓ１５１において、タッチパネルボタンが押下されていない場合（Ｓ１５１：ＮＯ）には、Ｓ１５１へ戻り、ＣＰＵ１４はタッチパネルボタンの押下を待機する。一方、タッチパネルボタンが押下された場合（Ｓ１５１：ＹＥＳ）には、Ｓ１５２へ進み、ＣＰＵ１４は、タッチパネルボタンのボタン音量設定値を基本機能パラメータ記憶領域４２から取得する。Ｓ１５３に進むと、ＣＰＵ１４は、照度センサ６２の照射光量値を取得する。なお、図１２のＳ１５５、Ｓ１５７、Ｓ１５９、Ｓ１６１、Ｓ１６３での動作については、第３実施形態（図８）のＳ５５、Ｓ５７、Ｓ６１、Ｓ６３、Ｓ６７の各々と同様であるため、ここでは詳細な説明は省略する。Ｓ１６５へ進むと、ＣＰＵ１４は、ボタン音量設定値に従ったキータッチ音を鳴動する。これにより、ＣＰＵ１４によって、照射光量値の変化を常に監視する必要がなくなるため、ＣＰＵ１４の負担をさらに軽減することが可能となる。
【００８０】
また、第１ないし第３実施形態では、ボタンサイズ変更に応じて音量調整処理を行う形態、バックライト設定値の変更に応じて音量調整処理を行う形態、照射光量値の変化に応じて音量調整処理を行う形態、の各々を説明したが、これらの形態は各々独立に用いられる場合に限られず、互いに組み合わされて用いられてもよい。
【００８１】
また、第１ないし第３実施形態では、ボタン音量設定値を”±１段階”の範囲で変更する形態を説明したが、この形態に限られず、変更する範囲は任意に定めることができることは言うまでもない。
【００８２】
また、第１実施形態では、基準ボタンサイズよりも小さいタッチパネルボタンのボタン音量設定値のみを変更するとしたが、この形態に限られない。基準ボタンサイズよりも小さいタッチパネルボタンが存在するときには、ボタンサイズに関わらず、全てのタッチパネルボタンの音量を一律に変更してもよいことは言うまでもない。
【００８３】
また、第１実施形態では、「大」「中」「小」の離散的なボタンサイズを有する形態を説明したが、この形態に限られない。基準ボタンサイズよりも小さいタッチパネルボタンのボタン音量設定値を変更対象とすればよいため、連続的にボタンサイズが変化する形態であっても、第１実施形態の発明が適用可能であることは言うまでもない。
【００８４】
また、第３実施形態（図８）において、照射光量値が第１基準照射光量設定値以上の値である場合には、Ｓ５６ないしＳ６０の処理によって、ボタン音量設定値を”−１段階”下降させるとしてもよい。これにより、タッチパネル５０に十分な量の光が照射されており、表示内容を読み取ることが容易な状態においては、キータッチ音を小さくすることで、通信装置の静粛性を確保することができる。また、照射光量値が第２基準照射光量設定値以下の値である場合には、Ｓ６２ないしＳ６６の処理によって、ボタン音量設定値を”＋１段階”上昇させるとしてもよい。これにより、室内の照明が暗い場合など、タッチパネル５０に少ない量の光しか照射されていないため、入力操作の有無を入力ボタンの表示形態の変化により認識しにくい場合においても、キータッチ音を大きくすることで、ユーザに確実に入力操作の有無を認識させることができる。
【００８５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８６】
なお、タッチパネルボタンは入力ボタンの一例、ＮＶＲＡＭ４０はメモリの一例、”＋１段階”は第１所定値の一例、”−１段階”は第２所定値の一例、である。
【００８７】
また、Ｓ１５、Ｓ３５、Ｓ４１、Ｓ５５、Ｓ６１を実行する制御部は比較手段の一例である。Ｓ２３、Ｓ３９，Ｓ４５、Ｓ５６ないしＳ６０を実行する制御部は音量変更手段の一例である。Ｓ１９を実行する制御部は検出手段の一例である。
【符号の説明】
【００８８】
１０  多機能機
５０  タッチパネル
４０  ＮＶＲＡＭ
４２  基本機能パラメータ記憶領域
６２  照度センサ
２０１、３０１、４０１、５０１  ボタン群
【図１】
2010165197.tif 000003
【図２】
2010165197.tif 000004
【図３】
2010165197.tif 000005
【図４】
2010165197.tif 000006
【図５】
2010165197.tif 000007
【図６】
2010165197.tif 000008
【図７】
2010165197.tif 000009
【図８】
2010165197.tif 000010
【図９】
2010165197.tif 000011
【図１０】
2010165197.tif 000012
【図１１】
2010165197.tif 000013
【図１２】
2010165197.tif 000014